(57)【要約】【課題】特殊なインク等を用いても手戻り等が発生せず、また、製版印刷機の発色特性も考慮した印刷情報管理プログラム等を提供すること。【解決手段】コンピュータに、印刷物に印刷する対象を特定する印刷物特定情報１５を取得する工程と、特殊インクを用いた製版印刷機１００による印刷結果情報８７に基づき生成された印刷機発色特性基礎情報５１を取得する工程と、印刷機発色特性基礎情報に基づき、当該製版印刷機の特性に基づいた他の機器における発色を調整可能な基準情報である印刷機発色特性基準情報５３を生成する工程と、印刷物特定情報及び印刷機発色特性基準情報に基づいて、当該製版印刷機の製版印刷機用製版情報６２を生成させる工程と、を実行させる印刷情報管理プログラム。【選択図】  図１
2015016626.tif 000002
【特許請求の範囲】
【請求項１】
コンピュータに、印刷物に印刷する対象を特定する印刷物特定情報を取得する工程と、
特殊インクを用いた製版印刷機による印刷結果情報に基づき生成された印刷機発色特性基礎情報を取得する工程と、
前記印刷機発色特性基礎情報に基づき、当該製版印刷機の特性に基づいた他の機器における発色を調整可能な基準情報である印刷機発色特性基準情報を生成する工程と、
前記印刷物特定情報及び前記印刷機発色特性基準情報に基づいて、当該製版印刷機の製版印刷機用製版情報を生成させる工程と、を実行させることを特徴とする印刷情報管理プログラム。
【請求項２】
製版情報を用いない非製版印刷機の特性に基づいた他の機器における発色を調整可能な基準情報である非製版印刷機発色特性基準情報を有し、この非製版印刷機発色特性基準情報、前記印刷物特定情報及び前記印刷機発色特性基準情報に基づいて見本印刷を行う工程を、実行させることを特徴とする請求項１に記載の印刷情報管理プログラム。
【請求項３】
前記製版印刷機用製版情報は、ＲＧＢ（赤、緑、青）形式の製版情報、単一チャンネル（グレースケール）形式の製版情報、ＣＭＹＫ（シアン、マゼンタ、イエロー、黒）形式の製版情報の中一つ以上の製版情報を含むことを特徴とする請求項１又は請求項２に記載の印刷情報管理プログラム。
【請求項４】
印刷物に印刷する対象を特定する印刷物特定情報を取得し、
特殊インクを用いた製版印刷機による印刷結果情報に基づき生成された印刷機発色特性基礎情報を取得し、
前記印刷機発色特性基礎情報に基づき、当該製版印刷機の特性に基づいた他の機器における発色を調整可能な基準情報である印刷機発色特性基準情報を生成し、
前記印刷物特定情報及び前記印刷機発色特性基準情報に基づいて、当該製版印刷機の製版印刷機用製版情報を生成することを特徴とする印刷物情報管理装置。
【請求項５】
前記印刷物情報管理装置と、
前記印刷物情報管理装置と通信可能で、前記印刷機発色特性基礎情報を生成する測色装置と、
前記製版印刷機を制御すると共に、前記印刷物情報管理装置と通信可能な印刷機管理装置と、を有する印刷物情報管理システムであって、
前記印刷物情報管理装置は、前記製版印刷機用製版情報を前記印刷機管理装置に送信する構成となっていると共に、製版情報を用いない非製版印刷機と通信可能な構成となっており、
前記印刷物情報管理装置は、前記非製版印刷機の特性に基づいた他の機器における発色を調整可能な基準情報である非製版印刷機発色特性基準情報を有し、この非製版印刷機発色特性基準情報、前記印刷物特定情報及び前記印刷機発色特性基準情報に基づいて見本印刷を実行する構成となっていることを特徴とする請求項４に記載の印刷物情報管理装置を備える印刷物情報管理システム。
【請求項６】
印刷物に印刷する対象を特定する印刷物特定情報を取得し、
特殊インクを用いた製版印刷機による印刷結果情報に基づき生成された印刷機発色特性基礎情報を取得し、
前記印刷機発色特性基礎情報に基づき、当該製版印刷機の特性に基づいた他の機器における発色を調整可能な基準情報である印刷機発色特性基準情報を生成し、
前記印刷物特定情報及び前記印刷機発色特性基準情報に基づいて、当該製版印刷機の製版印刷機用製版情報を生成させることを特徴とする印刷情報管理方法。
【発明の詳細な説明】
【技術分野】
【０００１】
本発明は、例えば、多色刷りのポスターの印刷物に関する印刷情報を管理する印刷情報管理プログラム、印刷情報管理装置、印刷情報管理システム及び印刷情報管理方法に関するものである。
【背景技術】
【０００２】
従来より、多色刷りのポスター等の印刷を依頼するときは、当該ポスターで使用する色を指定するが、同じ色を指定しても、当該ポスターを印字等するインクジェットプリンタによって色の発色特性が異なるため、ポスター等の印刷の依頼を受けた受注会社のプリンタで印刷したポスター見本等の色が発注者の指定する色と僅かに異なる等の問題があった。
このため、各イクジェットプリンタ等における発色特性の相違を考慮して、共通の発色に調整するための例えば、ＩＣＣ（Ｉｎｔｅｒｎａｔｉｏｎａｌ  Ｃｏｌｏｒ  Ｃｏｎｓｏｒｔｉｕｍ）プロファイル等の基準があり、この基準に従い、各プリンタにおける印字の発色を調整するようにしている（例えば、特許文献１）。
【先行技術文献】
【特許文献】
【０００３】
【特許文献１】特開平１１―１２０３３７公報
【発明の概要】
【発明が解決しようとする課題】
【０００４】
しかし、特殊なインクを用いて印刷を希望する場合は、色管理の基準が確立されていないため、発注者と受注者との間の色を特定するために何度も調整が必要（手戻り）となるという問題があった。
また、実際にインクジェットプリンタで印刷したポスター等の印刷物の見本では、発注者と受注者間の確認がなされても、この印刷物を大量に印刷する製版印刷機では、この製版印刷機の発色特性が異なるため、結果として発注者の特定した色とならず、手戻り等が発生するという問題があった。
【０００５】
そこで、本発明は、特殊なインク等を用いても手戻り等が発生せず、また、製版印刷機の発色特性も考慮した印刷情報管理プログラム、印刷情報管理装置、印刷情報管理システム、印刷情報管理方法を提供することを目的とする。
【０００６】
上記目的は、本発明にあっては、コンピュータに、印刷物に印刷する対象を特定する印刷物特定情報を取得する工程と、特殊インクを用いた製版印刷機による印刷結果情報に基づき生成された印刷機発色特性基礎情報を取得する工程と、前記印刷機発色特性基礎情報に基づき、当該製版印刷機の特性に基づいた他の機器における発色を調整可能な基準情報である印刷機発色特性基準情報を生成する工程と、前記印刷物特定情報及び前記印刷機発色特性基準情報に基づいて、当該製版印刷機の製版印刷機用製版情報を生成させる工程と、を実行させることを特徴とする印刷情報管理プログラムにより達成される。
【０００７】
前記構成によれば、特殊インクを用いた製版印刷機による印刷結果情報に基づき生成された印刷機発色特性基礎情報を取得する工程を有する。
このため、例えば、印刷会社等が、特殊インクで実際に印刷する製版印刷機のインクの印刷機用ＩＣＣプロファイル等の印刷機発色特性基準情報を取得することができる。
したがって、印刷会社が特殊インクを用いて製版印刷機で印刷したときの発色特性を予め取得することができる。
また、前記構成では、印刷物特定情報及び印刷機発色特性基準情報に基づいて、最終製版情報（ＣＭＹＫ形式等）等の製版印刷機用製版情報を生成させる。
このため、印刷会社がポスター等の印刷物を実際に製版印刷機で印刷する際に使用する製版印刷機用製版情報は、ポスター等の印字等の内容を特定する印刷物特定情報、製版印刷機の発色特性を考慮した印刷機用ＩＣＣプロファイル等の印刷機発色特性基準情報に基づいて生成される。
したがって、特殊インクを用いて製版印刷機で印刷したポスター等の印刷物は、製版印刷機の発色特性の相違等で発色が異なることなく調整して印刷される。そして、結果として発注者の特定した色とならず、手戻り等が発生するという問題の発生を未然に回避することができる。
【０００８】
好ましくは、製版情報を用いない非製版印刷機の特性に基づいた他の機器における発色を調整可能な基準情報である非製版印刷機発色特性基準情報を有し、この非製版印刷機発色特性基準情報、前記印刷物特定情報及び前記印刷機発色特性基準情報に基づいて見本印刷を行う工程を、実行させることを特徴とする。
【０００９】
前記構成によれば、インクジェットプリンタ等の非製版印刷機で、実際に製版印刷機で印刷したと同様の見本印刷を行うことができるので、実際の製版印刷機でポスター等の印刷物を印刷する前に、その発色状態等を確認することができる。
【００１０】
好ましくは、前記製版印刷機用製版情報は、ＲＧＢ（赤、緑、青）形式の製版情報、単一チャンネル形式（グレースケール）の製版情報、ＣＭＹＫ（シアン、マゼンタ、イエロー、黒）形式の製版情報の中一つ以上の製版情報を含むことを特徴とする。
【００１１】
上記目的は、本発明にあっては、印刷物に印刷する対象を特定する印刷物特定情報を取得し、特殊インクを用いた製版印刷機による印刷結果情報に基づき生成された印刷機発色特性基礎情報を取得し、前記印刷機発色特性基礎情報に基づき、当該製版印刷機の特性に基づいた他の機器における発色を調整可能な基準情報である印刷機発色特性基準情報を生成し、前記印刷物特定情報及び前記印刷機発色特性基準情報に基づいて、当該製版印刷機の製版印刷機用製版情報を生成することを特徴とする印刷物情報管理装置により達成される。
【００１２】
好ましくは、前記印刷物情報管理装置と、前記印刷物情報管理装置と通信可能で、前記印刷機発色特性基礎情報を生成する測色装置と、前記製版印刷機を制御すると共に、前記印刷物情報管理装置と通信可能な印刷機管理装置と、を有する印刷物情報管理システムであって、前記印刷物情報管理装置は、前記製版印刷機用製版情報を前記印刷機管理装置に送信する構成となっていると共に、製版情報を用いない非製版印刷機と通信可能な構成となっており、前記印刷物情報管理装置は、前記非製版印刷機の特性に基づいた他の機器における発色を調整可能な基準情報である非製版印刷機発色特性基準情報を有し、この非製版印刷機発色特性基準情報、前記印刷物特定情報及び前記印刷機発色特性基準情報に基づいて見本印刷を実行する構成となっていることを特徴とする。
【００１３】
上記目的は、本発明によれば、印刷物に印刷する対象を特定する印刷物特定情報を取得し、特殊インクを用いた製版印刷機による印刷結果情報に基づき生成された印刷機発色特性基礎情報を取得し、前記印刷機発色特性基礎情報に基づき、当該製版印刷機の特性に基づいた他の機器における発色を調整可能な基準情報である印刷機発色特性基準情報を生成し、前記印刷物特定情報及び前記印刷機発色特性基準情報に基づいて、当該製版印刷機の製版印刷機用製版情報を生成させることを特徴とする印刷情報管理方法により達成される
。
【発明の効果】
【００１４】
以上説明したように、本発明は、特殊なインク等を用いても手戻り等が発生せず、また、製版印刷機の発色特性も考慮した印刷情報管理プログラム、印刷情報管理装置、印刷情報管理システム、印刷情報管理方法を提供することを目的とする。
【図面の簡単な説明】
【００１５】
【図１】本発明の印刷物管理システムの実施の形態である例えば、印刷物受注システムを示す概略図である。
【図２】図１に示すクライアント側サーバの主な構成を示す概略ブロック図である。
【図３】図１の印刷会社側サーバの主な構成を示す概略ブロック図である。
【図４】図１の管理サーバの主な構成を示す概略ブロック図である。
【図５】図４に示す第１各種情報記憶部の主な構成を示す概略ブロック図である。
【図６】図４に示す第２各種情報記憶部の主な構成を示す概略ブロック図である。
【図７】図４に示す第３各種情報記憶部の主な構成を示す概略ブロック図である。
【図８】本実施の形態に係る印刷物受注システムの主な動作例を示す概略フローチャートである。
【図９】本実施の形態に係る印刷物受注システムの主な動作例を示す他の概略フローチャートである。
【図１０】本実施の形態に係る印刷物受注システムの主な動作例を示す他の概略フローチャートである。
【発明を実施するための形態】
【００１６】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１７】
図１は、本発明の印刷物管理システムの実施の形態である例えば、印刷物受注システム１を示す概略図である。
図１に示すように、本実施の形態では、印刷物、例えば、多色刷りポスターの印刷を管理会社２に発注する「クライアント会社３」に配置されている「クライアント側サーバ１０」を有している。
この多色刷りポスターは「管理会社２」の製造に係る特殊インクである例えば、透明インクを含むインクにより印刷されることが求められている。
【００１８】
また、図１に示すように、管理会社２は、印刷物情報管理装置である例えば、「管理サーバ３０」を有している。
この管理会社２は、印刷機等の機器のインクの発色特性を測定する測色装置である例えば、「測色機７１」を有し、この測色機７１は、管理サーバ３０と通信可能に接続されている。
また、管理会社２は、製版情報を用いない非製版印刷機である例えば、「インクジェットプリンタ７１」も有し、このインクジェットプリンタ７１は、管理サーバ３０と通信可能に接続されている。
【００１９】
また、図１に示すように、ポスターを実際に印刷する「印刷会社５」は、製版印刷機である例えば、「印刷機１００」を有すると共に、印刷機管理装置である例えば、「印刷会社側サーバ８０」を有し、印刷機１００は、印刷会社側サーバ８０と通信可能に接続されている。
【００２０】
さらに、これらクライアント側サーバ１０、管理サーバ３０及び印刷会社側サーバ８０は、「インターネット網４」に接続され、相互に通信可能な構成となっている。
【００２１】
図１に示すクライアント側サーバ１０、管理サーバ３０及び印刷会社側サーバ８０等は、コンピュータであり、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）やハードディスク等を有し、バスを介して接続されている。
【００２２】
図２は、図１に示すクライアント側サーバ１０の主な構成を示す概略ブロック図である。
図２に示すように、クライアント側サーバ１０は、「クライアント側サーバ制御部１１」を有し、クライアント側サーバ制御部１１は、管理サーバ３０等と通信する「クライアント側通信装置１２」、各種情報を入力する「クライアント側サーバ入力装置１３」及び各種情報を表示する「クライアント側サーバディスプレイ１４」等を制御している。
また、クライアント側サーバ制御部１１は、ポスターの対象である例えば、印刷内容を特定する情報である「クライアント側印刷用基礎情報記憶部１５」も制御するが、この記憶部については後述する。
【００２３】
図３は、図１の印刷会社側サーバ８０の主な構成を示す概略ブロック図である。
図３に示すように、印刷会社側サーバ８０は、「印刷会社側サーバ制御部８１」を有し、印刷会社側サーバ８０は、管理サーバ３０等と通信するための「印刷会社側サーバ通信装置８２」、各種情報を入力するための「印刷会社側サーバ入力装置８３」及び各種情報を表示するための「印刷会社側サーバディスプレイ８４」を制御する。
また、印刷会社側サーバ制御部８１は、図３に示す「透明インク用カラーパッチ画像取得処理部（プログラム）８５」、「印刷会社側透明インク用カラーパッチ画像情報記憶部８６」及び「印刷済み透明インク用カラーパッチ画像情報記憶部８７」も制御するが、これらのついては後述する。
【００２４】
図４は、図１の管理サーバ３０の主な構成を示す概略ブロック図である。
図４に示すように、管理サーバ３０は、「管理サーバ制御部３１」を有し、管理サーバ３０は、クライアント側サーバ１０や印刷会社側サーバ８０等と通信するための「管理サーバ側通信装置３２」、各種情報を入力するための「管理サーバ側入力装置３３」及び各種情報を表示するための「管理サーバ側ディスプレイ３４」を制御する。
また、管理サーバ制御部３１は、図４に示す「第１各種情報記憶部４０」、「第２各種情報記憶部５０」及び「第３各種情報記憶部６０」を制御する。
図５乃至図７は、それぞれ図４に示す「第１各種情報記憶部４０」、「第２各種情報記憶部５０」及び「第３各種情報記憶部６０」の主な構成を示す概略ブロック図である。これらの内容については後述する。
【００２５】
図８乃至１０は、本実施の形態に係る印刷物受注システム１の主な動作例を示す概略フローチャートである。
以下、これらフローチャートに沿って、その動作等を説明すると共に、図１乃至図７の構成についても併せて説明する。
【００２６】
先ず、本実施の形態では、クライアント会社３が、管理会社２が有する透明インク等を用いてポスターを印刷することを管理会社２に発注し、管理会社２は、その発注を受注すると共に、実際の印刷を印刷会社５に発注する。以下、この例に基づき、各動作を説明する。
【００２７】
図８のステップＳＴ（以下「ＳＴ」とする。）１では、図１のクライアント側サーバ１０」は、図２の「クライアント側印刷用基礎情報記憶部１５」内の「クライアント側印刷用基礎情報」を送信する送信信号を検知したか否かが判断される。
この「クライアント側印刷用基礎情報」は、例えば、特定のＲＧＢ（赤、緑、青）の基準である「色基準」で作成した、印刷物特定情報である例えば、ポスター印刷用基礎情報となっている。
また、この送信信号は、具体的には、図１のクライアント会社３で担当者が、ポスターの印刷を発注する際に、クライアント側サーバ１０を操作して入力される信号である。
【００２８】
ＳＴ１で、送信信号が入力されたときは、ＳＴ２へ進む。ＳＴ２では、図１のクライアント側サーバ１０は、図２の「クライアント側印刷用基礎情報記憶部１５」に記憶されているクライアント側印刷用基礎情報を、図２のクライアント側通信装置１２等を介して、図１の管理サーバ３０へ送信する。
【００２９】
次いで、ＳＴ３へ進む。ＳＴ３では、管理サーバ３０は、「クライアント側印刷用基礎情報」を受信したか否かを判断する。
具体的には、図５の「クライアント側印刷用基礎情報取得処理部（プログラム）４１」が動作し、「クライアント側印刷用基礎情報」を受信したか否かを判断する。
【００３０】
ＳＴ３で、管理サーバ３０が、「クライアント側印刷用情報」を受信したときは、ＳＴ４へ進む。ＳＴ４では、管理サーバ３０は、「クライアント側サーバ１０」から受信した「クライアント側印刷用基礎情報」を図５の「管理サーバ側印刷用基礎情報記憶部４２」に「管理サーバ側印刷用基礎情報」として記憶する。
【００３１】
クライアント会社３から、ポスター印刷の発注を受けた管理会社２は、実際に印刷する印刷会社５に、当該ポスター印刷で使用する「透明インク」を送付すると共に、この透明インクを使用して、印刷会社５の印刷機１００で印刷したときのインクの発色特性等を取得するため、所定の「透明インク用カラーパッチ画面情報」を印刷会社５の「印刷会社側サーバ８０」へ送信する。
【００３２】
この「透明インク用カラーパッチ画面情報」は、例えば、多色印刷用の透明インク用でカラーパッチ画像情報であり、ＲＧＢ（赤、緑、青）の各色に対応する３列分のパッチ（内側に均一な濃度で各色が印刷可能となっている任意のパターン）が印刷されている。
印刷会社５は、印刷機１００を用いて、このパッチに、上述の透明インクで各色を印刷することとなる。
【００３３】
そして、図８のＳＴ５では、管理サーバ３０は、「透明インク用カラーパッチ画像情報」の送信信号を検知したときは、ＳＴ６へ進む。ＳＴ６では、図５の「透明インク（インビジブルインク）用カラーパッチ画像情報記憶部４３」の「透明インク（インビジブルインク）用カラーパッチ画像情報」が、「管理サーバ側通信装置３２」等と介して、「印刷会社側サーバ８０」へ送信される。
【００３４】
次いで、ＳＴ７へ進む。ＳＴ７では、印刷会社側サーバ８０は「透明インク用カラーパッチ画像情報」を受信したか否かを判断する。
具体的には、図３の「透明インク用カラーパッチ画像情報取得処理部（プログラム）８５」が判断する。
【００３５】
ＳＴ７で、「透明インク用カラーパッチ画像情報」を受信したと判断されたときは、ＳＴ８へ進む。ＳＴ８では、「透明インク用カラーパッチ画像情報取得処理部（プログラム）８５」が、受信した「透明インク用カラーパッチ画像情報」を図３の「印刷会社側透明
インク用カラーパッチ画像情報記憶部８６」に「印刷会社側透明インク用カラーパッチ画像情報」として記憶する。
【００３６】
これらの工程で、印刷会社５は、管理会社２から発注されたポスターの印刷に用いる「透明インク」と、当該透明インクの「透明インク用カラーパッチ画像情報」を取得する。
次いで、印刷会社５は、この透明インクを用いて、ポスターを印刷予定の図１の印刷機１００で「透明インク用カラーパッチ画像」に各色ＲＧＢを印刷する。
【００３７】
そして、ＳＴ９で、印刷会社側サーバ８０は、「印刷会社側透明インク用カラーパッチ画像情報」に基づき、当該透明インクで印刷した「印刷済み透明インク用カラーパッチ画像情報」を図３の「印刷済み透明インク用カラーパッチ画像情報記憶部８７」に記憶する。
なお、この「印刷済み透明インク用カラーパッチ画像情報」が、「印刷結果情報」の一例となっている。
【００３８】
次いで、ＳＴ１０へ進む。ＳＴ１０では、印刷会社側サーバ８０は、図３の「印刷済み透明インク用カラーパッチ画像情報記憶部８７」の「印刷済み透明インク用カラーパッチ画像情報」を印刷会社側サーバ通信装置８２等を介して、「管理サーバ３０」へ送信する。また、同時に、印刷会社５が「印刷済み透明インク用カラーパッチ画像サンプル」を管理会社２に送付する。
次いで、ＳＴ１１へ進む。ＳＴ１１では、管理サーバ３０は「印刷済み透明インク用カラーパッチ画像情報」を受信したか否かを判断する。
具体的には、図５の「印刷済み透明インク用カラーパッチ画像情報取得処理部（プログラム）４４」が動作し、「印刷済み透明インク用カラーパッチ画像情報」を受信したか否かを判断する。
【００３９】
ＳＴ１１で、「印刷済み透明インク用カラーパッチ画像情報」を受信したと判断したときは、ＳＴ１２へ進む。
ＳＴ１２では、管理サーバ３０は、印刷会社側サーバ８０から受信した「印刷済み透明インク用カラーパッチ画像情報」を図５の「管理サーバ側印刷済み透明インク用カラーパッチ画像情報記憶部４５」に「管理サーバ側印刷済み透明インク用カラーパッチ画像情報」として記憶する。
【００４０】
次いで、ＳＴ１３へ進む。ＳＴ１３では、図１の測色機７０は、管理サーバ３０の「管理サーバ側印刷済み透明インク用カラーパッチ画像情報記憶部４５」の「管理サーバ側印刷済み透明インク用カラーパッチ画像情報」に基づき、印刷会社５から送付された「印刷済み透明インク用カラーパッチ画像見本」を測色し、当該印刷機１００のインクの発色特性情報を取得する。
そして、測色した後、発色特性情報を、管理サーバ３０の図６の「印刷機発色特性基礎情報記憶部５１」に「印刷機発色特性基礎情報」として記憶する。
【００４１】
次いで、ＳＴ１４へ進む。ＳＴ１４では、図６の「印刷機用発色特性情報プロファイル生成部（プログラム）５２」が動作し、「印刷機発色特性基礎情報」に基づいて当該印刷機１００の例えば、当該印刷機用ＩＣＣ（Ｉｎｔｅｒｎａｔｉｏｎａｌ  Ｃｏｌｏｒ  Ｃｏｎｓｏｒｔｉｕｍ）プロファイルを生成し、図６の「印刷機用発色特性情報プロファイル記憶部５３」に「印刷機用発色特性情報プロファイル」として記憶する。
【００４２】
この「当該印刷機用ＩＣＣプロファイル」は、印刷機１００の発色特性に基づいた他の機器（各種ディスプレイ等）における発色を調整可能な基準情報である「印刷機発色特性基準情報」の一例である。
したがって、この「当該印刷機用ＩＣＣプロファイル」の情報に基づき「色変換モジュール」等を用いることで、印刷機１００等のデバイス毎の発色特性の相違を考慮し、各種デバイスで印字されたインクの発色が共通となるように調整することができる。
【００４３】
次いで、ＳＴ１５へ進む。ＳＴ１５では、図６の「製版情報生成部（プログラム）５４」が動作し、「管理サーバ側印刷用基礎情報記憶部４２」の「管理サーバ側印刷用基礎情報（例えば、ポスター用の印刷用基礎情報）」と「印刷機用発色特性情報プロファイル記憶部５３」の「印刷機用発色特性情報プロファイル（当該印刷機用ＩＣＣプロファイル」」に基づいて、ＲＧＢ（赤、緑、青）形式の「基礎製版情報」を生成する。
生成された「基礎製版情報」は、図６の「基礎製版情報記憶部５５」に「基礎製版情報」として記憶される。
この「基礎製版情報」が「製版印刷機用製版情報」の一例である。
【００４４】
このように、「基礎製版情報記憶部５５」の「基礎製版情報」は、ポスターの印刷用基礎情報（どのような図案で、どのような色のインクを用いるか等の情報）と、このポスターを実際に印刷する印刷機１００で印刷したときの当該透明インクの発色特性の情報を考慮して生成されている。
このため、透明インクを用いて印刷機１００で印刷したポスター等の印刷物は、印刷機１００の発色特性の相違等で発色が異なることなく調整して印刷される。そして、このため、発注者であるクライアント会社３の特定した色とならず、手戻り等が発生するという問題の発生を未然に回避することができる。
【００４５】
次いで、ＳＴ１６へ進む。ＳＴ１６では、図７の「最終製版情報生成部（プログラム）６１」が動作し、「基礎製版情報記憶部５５」の「基礎製版情報（ＲＧＢ形式）」に基づいて、これを例えば、反転等させて、ＣＭＹＫ形式の「最終製版情報」を生成し、図７の「最終製版情報記憶部６２」に「最終製版情報」として記憶する。
【００４６】
なお、本実施の形態では、ＲＧＢ形式の製版情報を生成し、その後、ＣＭＹＫ形式の製版情報を生成しているが、本発明はこれに限らず、「最終製版情報」がＲＧＢ形式であっても構わない。
また、「最終製版情報」が印刷機に使用されるインク毎に対応する複数の単一チャネル形式の製版情報（グレースケール画像）であっても構わない。  
【００４７】
ところで、管理サーバ３０の図７の「インクジェットプリンタ発色特性情報プロファイル記憶部６３」には、図１の「インクジェットプリンタ７２」の「インクジェットプリンタ用ＩＣＣプロファイル」である「インクの発色特性情報プロファイル」が記憶されている。
この「インクジェットプリンタ用ＩＣＣプロファイル」は、図１の「インクジェットプリンタ７１」の発色特性に基づいた他の機器におけるインクの発色を調整可能な基準である「非製版印刷機発色特性基準情報」の一例である。
【００４８】
したがって、図１０のＳＴ１７では、図７の「印刷サンプル生成部（プログラム）６４」が動作し、「インクジェットプリンタ発色特性情報プロファイル記憶部６３」の「インクジェットプリンタ発色特性情報プロファイル」、「管理サーバ側印刷用基礎情報記憶部４２」の「管理サーバ側印刷用基礎情報（ポスター印刷用基礎情報等）」と「印刷機用発色特性情報プロファイル記憶部５３」の「印刷機用発色特性情報プロファイル」に基づいて、インクジェットプリンタ７１に、ポスター用印刷サンプルである「印刷サンプル」を印刷させる。
【００４９】
この「印刷サンプル」は、図１の印刷機１００及びインクジェットプリンタ７１の発色
特性を考慮し、調整した上で、クライアント会社３のポスター印刷用基礎情報（どのような図案で、どのような色のインクを用いるか等の情報）に基づき印刷している。
したがって、実際に印刷機１００で印刷されるポスターと同一のポスターを、印刷機１００で印刷する前に、印刷し、確認することができるので、これらインクジェットプリンタ７１で印刷した「印刷サンプル」をクライアント会社３に送付することで、クライアント会社３は、出来上がりのポスターを正確に確認することができ、所謂「手戻り」が発生することを回避すること未然に防止することができる。
【００５０】
次いで、ＳＴ１８で、図７の「最終製版情報」が、管理サーバ３０から印刷会社側サーバ８０へ送付される。
印刷会社５は、受信した「最終製版情報」に基づいて、印刷機１００で、所定枚数のポスターを「透明インク」等を用いて印刷することになる。
【００５１】
また、本実施の形態の「印刷物受注システム１」では、印刷機１００で印刷した実際のポスターは、印刷会社５から直接、クライアント会社３に納品されることになる。
しかし、これに限らず、印刷会社５から印刷後のポスターが管理会社２に送付され、内容確認後、クライアント会社３に納品されても構わない。
【００５２】
なお、本発明は、上述の各実施の形態に限定されない。
【符号の説明】
【００５３】
１・・・印刷物受注システム、２・・・管理会社、３・・・クライアント会社、４・・・インターネット網、５・・・印刷会社、１０・・・クライアント側サーバ、１１・・・クライアント側サーバ制御部、１２・・・クライアント側通信装置、１３・・・クライアント側サーバ入力装置、１４・・・クライアント側サーバディスプレイ、１５・・・クライアント側印刷用基礎情報記憶部、３０・・・管理サーバ、３１・・・管理サーバ制御部、３２・・・管理サーバ側通信装置、３３・・・管理サーバ側入力装置、３４・・・管理サーバ側ディスプレイ、４０・・・第１各種情報記憶部、４１・・・クライアント側印刷用基礎情報取得処理部（プログラム）、４２・・・管理サーバ側印刷用基礎情報記憶部、４３・・・透明インク用カラーパッチ画像情報記憶部、４４・・・印刷済み透明インク用カラーパッチ画像情報取得処理部（プログラム）、４５・・・管理サーバ側印刷済み透明インク用カラーパッチ画像情報記憶部、５０・・・第２各種情報記憶部、５１・・・印刷機発色特性基礎情報記憶部、５２・・・印刷機用発色特性情報プロファイル生成部（プログラム）、５３・・・印刷機用発色特性情報プロファイル記憶部、５４・・・製版情報生成部（プログラム）、５５・・・基礎製版情報記憶部、６０・・・第３各種情報記憶部、６１・・・最終製版情報生成部（プログラム）、６２・・・最終製版情報記憶部、６３・・・インクジェットプリンタ発色特性情報プロファイル記憶部、６４・・・印刷サンプル生成部（プログラム）、７０・・・測色機、７１・・・インクジェットプリンタ、８０・・・印刷会社側サーバ、８１・・・印刷会社側サーバ制御部、８２・・・印刷会社側サーバ通信装置、８３・・・印刷会社側サーバ入力装置、８４・・・印刷会社側サーバディスプレイ、８５・・・透明インク用カラーパッチ画像取得処理部（プログラム）、８６・・・印刷会社側透明インク用カラーパッチ画像情報記憶部、８７・・・印刷済み透明インク用カラーパッチ画像情報記憶部、１００・・・印刷機
【図１】
2015016626.tif 000003
【図２】
2015016626.tif 000004
【図３】
2015016626.tif 000005
【図４】
2015016626.tif 000006
【図５】
2015016626.tif 000007
【図６】
2015016626.tif 000008
【図７】
2015016626.tif 000009
【図８】
2015016626.tif 000010
【図９】
2015016626.tif 000011
【図１０】
2015016626.tif 000012